(57)【特許請求の範囲】
【請求項１】
平面視円形のヘアキャッチャー本体の外周よりも窪ませた片側略半部を複数の排水孔を形成した排水部とすると共に、前記排水部と反対側に位置する部分にヘアキャッチャー本体の略半部に亘るオーバーフロー水排出部を立設し、前記排水部をヘアキャッチャー本体の中心を中心とした中心角が１８０度を超える平面視略扇状に形成すると共に、前記オーバーフロー水排出部をヘアキャッチャー本体の中心を中心とした中心角９０度以上の平面視略扇状に形成し、前記オーバーフロー水排出部の排水部側の面を前記排水部から略垂直に立ち上げ、前記オーバーフロー水排出部は頂部にオーバーフローした水を排出するためのオーバーフロー孔を有し、前記排水部にはヘアキャッチャー本体の中央に向かって下り傾斜する水勾配が設けられ、前記オーバーフロー水排出部の排水部と反対側の外側面を平面視でヘアキャッチャー本体の最外周縁に沿わせて成ることを特徴とするヘアキャッチャー。
【請求項２】
前記オーバーフロー水排出部の頂部の前記排水部と反対側の部分に、指で摘むための摘み部を突設して成ることを特徴とする請求項１に記載のヘアキャッチャー。
【請求項３】
前記オーバーフロー水排出部の前記排水部側の立ち上げ面に、排水孔を設けないことを特徴とする請求項１又は請求項２に記載のヘアキャッチャー。
【請求項４】
前記オーバーフロー水排出部のヘアキャッチャー本体の最外周縁に沿う外側面をヘアキャッチャー本体の外周枠よりも内側に位置させて成ることを特徴とする請求項１乃至３のいずれか１項に記載のヘアキャッチャー。
【発明の詳細な説明】
【技術分野】
【０００１】
本発明は排水口に設置されるヘアキャッチャーに関する。
【背景技術】
【０００２】
浴室の洗い場に形成される排水口には排水に含まれるゴミを捕集するためにヘアキャッチャーが設置される（例えば特許文献１）。
【０００３】
ところで、ヘアキャッチャーには排水孔がゴミで目詰まりした場合等に排水が溢れ出ることを防止するためにオーバーフローした水を排出するためのオーバーフロー水排出部を設けたものがあり、このヘアキャッチャーとしては図８に示すものがある。図示例の従来のヘアキャッチャーは、円形皿状のヘアキャッチャー本体２３の外周部に多数の排水孔２８を形成して排水部２７としてあり、また、ヘアキャッチャー本体２３の中央部から立ち上げた立上部３５にオーバーフロー孔３１を形成してオーバーフロー水排出部２９を構成してあり、排水部２７よりも上方に位置するオーバーフロー孔３１からオーバーフロー水を排水できるようにしてある。
【０００４】
しかし、図８に示すヘアキャッチャーは、毛髪等のゴミが排水孔２８を形成した環状の排水部の全体に亘って堆積しやすく、このように堆積したゴミを取り除く場合には中央のオーバーフロー水排出部２９が邪魔になって手入れが面倒になる恐れがある。
【先行技術文献】
【特許文献】
【０００５】
【特許文献１】特開２００６−２４２３号公報
【発明の概要】
【発明が解決しようとする課題】
【０００６】
本発明は上記従来の問題点に鑑みてなされたものであり、捕集したゴミを簡単に除去でき、しかも排水効率を充分に維持しつつこれを実現できるヘアキャッチャーを提供することを課題とする。
【課題を解決するための手段】
【０００７】
上記課題を解決するために本発明に係るヘアキャッチャーは、平面視円形のヘアキャッチャー本体２３の外周よりも窪ませた片側略半部を複数の排水孔２８を形成した排水部２７とすると共に、前記排水部２７と反対側に位置する部分にヘアキャッチャー本体２３の略半部に亘るオーバーフロー水排出部２９を立設し、前記排水部２７をヘアキャッチャー本体２３の中心を中心とした中心角が１８０度を超える平面視略扇状に形成すると共に、前記オーバーフロー水排出部２９をヘアキャッチャー本体２３の中心を中心とした中心角９０度以上の平面視略扇状に形成し、前記オーバーフロー水排出部２９の排水部２７側の面を前記排水部２７から略垂直に立ち上げ、前記オーバーフロー水排出部２９は頂部にオーバーフローした水を排出するためのオーバーフロー孔３１を有し、前記排水部２７にはヘアキャッチャー本体２３の中央に向かって下り傾斜する水勾配が設けられ、前記オーバーフロー水排出部２９の排水部２７と反対側の外側面を平面視でヘアキャッチャー本体２３の最外周縁に沿わせて成ることを特徴とする。このように、ヘアキャッチャー本体２３の片側領域を複数の排水孔２８を形成した排水部２７とすると共に、ヘアキャッチャー本体２３の他側領域にオーバーフロー水排出部２９を設けることで、毛髪等のゴミをヘアキャッチャー本体２３の片側に設けた排水部２７にまとめて捕集できる。また、オーバーフロー水排出部２９の排水部２７と反対側の外側面を平面視で円形のヘアキャッチャー本体２３の最外周縁に沿わせることで、オーバーフロー水排出部２９のヘアキャッチャー本体２３の最外周縁に沿った外側面で、オーバーフロー水排出部２９側から流れ込んだ排水を排水部２７側にスムーズに誘導でき、この点でも毛髪等のゴミを排水部２７にまとめることができる。また、ヘアキャッチャー本体２３の最外周縁の直前にまでオーバーフロー水排出部２９を形成してオーバーフロー水排出部２９の外周長を長くでき、外側からヘアキャッチャー１へと向かって流れる排水に含まれる毛髪等の比較的長いゴミがオーバーフロー水排出部２９に引っ掛かり難くなる。また、この場合、排水孔２８が形成される排水部２７の面積を充分に確保できて高い排水効率を維持できる。
【０００８】
また、前記オーバーフロー水排出部２９の頂部の前記排水部２７と反対側の部分に、指で摘むための摘み部３２を突設することが好ましい。
【００１０】
また、前記オーバーフロー水排出部２９の前記排水部２７側の立ち上げ面に、排水孔を設けないことが好ましい。
【００１１】
また、前記オーバーフロー水排出部２９のヘアキャッチャー本体２３の最外周縁に沿う外側面をヘアキャッチャー本体２３の外周枠２４よりも内側に位置させることが好ましい。この場合、ヘアキャッチャー本体２３の最外周縁とオーバーフロー水排出部２９のヘアキャッチャー本体２３の最外周縁に沿う外側面との間に排水を通過させるための空間を形成できる。
【発明の効果】
【００１２】
本発明では、毛髪等のゴミをヘアキャッチャー本体の片側に設けた排水部にまとめて捕集でき、捕集したゴミを簡単に取り除くことができる。また、オーバーフロー水排出部の排水部と反対側の外側面を平面視でヘアキャッチャー本体の最外周縁に沿わせることで、ヘアキャッチャー本体の最外周縁の直前にまでオーバーフロー水排出部を形成してオーバーフロー水排出部の外周長を長くでき、これにより外側からヘアキャッチャーへと向かって流れる排水に含まれる毛髪等の比較的長いゴミがオーバーフロー水排出部に引っ掛かることを防止でき、手入れが一層容易になる。また、排水孔が形成される排水部の面積を充分に確保できて高い排水効率を維持できる。
【図面の簡単な説明】
【００１３】
【図１】本発明の実施の形態の一例を示すヘアキャッチャーの背面側から見た斜視図である。
【図２】（ａ）は同上のヘアキャッチャーの平面図であり、（ｂ）は側面図である。
【図３】同上のヘアキャッチャーを排水口に設置した排水構造を示す断面図である。
【図４】他例のヘアキャッチャーを示し、（ａ）は平面図であり、（ｂ）は背面側から見た斜視図である。
【図５】更に他例のヘアキャッチャーの平面図である。
【図６】更に他例のヘアキャッチャーの平面図である。
【図７】更に他例のヘアキャッチャーの背面側から見た斜視図である。
【図８】従来のヘアキャッチャーの平面図である。
【発明を実施するための形態】
【００１４】
以下、本発明を添付図面に基づいて説明する。
【００１５】
まず、本例のヘアキャッチャー１が設置される排水構造につき説明する。図３に示すように本例のヘアキャッチャー１が設置される排水口２は浴室の洗い場に形成したものである。浴室の床パン３は洗い場を構成する洗い場部４と浴槽が設置される浴槽設置部５を備えている。洗い場部４の浴槽設置部５側の端部には凹所６を形成してあり、凹所６の底部には取付口７を形成している。取付口７には排水トラップ８を取り付けてあり、該排水トラップ８は、取付口７の下方に配置される容器状のトラップ本体９と、トラップ本体９に取り付けた取付用筒体１０と、トラップ本体９の内側に挿入される封水筒体１１とを備えている。
【００１６】
トラップ本体９の上面に形成した開口部９ａには取付用筒体１０の下部をねじ込んで取り付けてある。また、この取付用筒体１０の上端部外周から突設した上側鍔部１３とトラップ本体９の開口部９ａの周縁部とで取付口７の周縁部をパッキン１４を介して挟持することで、トラップ本体９は水密的に取付口７に取り付けられている。トラップ本体９の外周壁部の上部には出口部１５を設けてあり、出口部１５にはトラップ本体９内の排水を下水へ排出するための排水管１６を接続している。
【００１７】
取付用筒体１０の下端部内周からは下側鍔部１７を突設し、下側鍔部１７上には封水筒体１１の上端部に周設したフランジ部１８を載設している。封水筒体１１の下部はトラップ本体９の出口部１５よりも下方の位置まで挿入されて、トラップ本体９内の溜水内に浸かっており、これによりトラップ本体９内に封水部を形成している。また、排水口２は上記取付用筒体１０の上端開口部で構成してあり、該排水口２にヘアキャッチャー１が着脱自在に取り付けてある。
【００１８】
また、前述の凹所６には排水口２の上方を覆う排水カバー１９を配置している。排水カバー１９は外周部から下方に向けて突設した脚部２１を取付口７の周縁部よりも一段高くなった凹所６の底部に載置することでヘアキャッチャー１の上方に設置されている。排水カバー１９の外周縁から下方に突出した複数の脚部２１間には開口１２を形成してあり、該開口１２の上縁と凹所６の底部の間に流水用隙間２２を形成している。この流水用隙間２２は排水カバー１９の四方に形成してあり、流水用隙間２２を介して排水が排水カバー１９の四方から流入するようになっている。
【００１９】
上記排水構造にあっては、床パン３の洗い場部４上の水が凹所６の内周面と排水カバー１９の外周面との間の隙間２０から流水用隙間２２を介して排水カバー１９の下方に流入し、次いで排水口２に流入してヘアキャッチャー１で毛髪やゴミが捕集され、この後、封水筒体１１、トラップ本体９、排水管１６を順に介して外部に排出される。
【００２０】
以下、上記排水口２に設置されるヘアキャッチャー１について詳述する。なお、以下の説明では、後述の排水部２７及びオーバーフロー水排出部２９のうち排水部２７側を前側とすると共にオーバーフロー水排出部２９側を後側とする。
【００２１】
図１及び図２に示す本例のヘアキャッチャー１は平面視円形で浅底皿状のヘアキャッチャー本体２３で主体を構成してある。ヘアキャッチャー本体２３の上端縁には外側方に突出する円環状の外周枠２４を設けてあり、該外周枠２４でヘアキャッチャー本体２３の外周縁部を構成している。ヘアキャッチャー本体２３の中央部を挟んだ外周枠２４の左右両側部分には下方に延出した延出部２５を形成してあり、各延出部２５にはヘアキャッチャー本体２３の周方向に伸びてヘアキャッチャー本体２３の外側に開口する係止溝２６を形成している。
【００２２】
ヘアキャッチャー本体２３の外周枠２４で囲まれた中央部の前後方向における片側領域はヘアキャッチャー本体２３の外周よりも窪ませた排水部２７としてあり、ヘアキャッチャー本体２３の略半部が排水部２７となっている。排水部２７は中心角が１８０度を超える平面視扇状に形成してあり、該排水部２７には上下に貫通する円形の排水孔２８を略全域に亘って多数形成している。従って、排水時には排水部２７の多数の排水孔２８を介して排水がなされ、排水部２７にて毛髪等のゴミが捕集される。なお、排水部２７にはその左右両側から中央に向かって下り傾斜する水勾配を設けてあり、排水に含まれる毛髪等のゴミは排水部２７の最も下方に位置する左右方向中央部に主に堆積する。
【００２３】
図２（ａ）に示すようにヘアキャッチャー本体２３の排水部２７と反対側の領域には排水孔２８がゴミで目詰まりした場合等に排水が溢れ出ることを防止するためにオーバーフロー水排出部２９を立設している。オーバーフロー水排出部２９は、ヘアキャッチャー本体２３から一体に立ち上げた立上部３５の上端部にオーバーフロー孔３１を形成してなる。
【００２４】
オーバーフロー水排出部２９（立上部３５）は有蓋筒状で、平面視円形のヘアキャッチャー本体２３の中心を中心とした中心角９０度以上の略扇状に形成され、そのヘアキャッチャー本体２３から立ち上げたオーバーフロー水排出部２９の排水部２７と反対側の外側面は平面視でヘアキャッチャー本体２３と同心円弧状の弧状面３０となり、ヘアキャッチャー本体２３の最外周縁に沿っている。また、本例のオーバーフロー水排出部２９は平面視円形のヘアキャッチャー本体２３と略同径の扇状に形成してあり、前記オーバーフロー水排出部２９の弧状面３０はヘアキャッチャー本体２３の外周枠２４上に位置し、ヘアキャッチャー本体２３の外周枠２４の内周縁よりも外側に位置している。
【００２５】
オーバーフロー水排出部２９はヘアキャッチャー１を排水口２に設置した状態で排水口２よりも上方に突出し、このオーバーフロー水排出部２９の上端を閉塞する上面板部３４の中央に上下に貫通する円形のオーバーフロー孔３１を一つ形成している。オーバーフロー孔３１は筒状の立上部３５の下端開口を通じて下方に連通し、排水部２７の多数の排水孔２８がゴミで目詰まりした場合等に排水の水位がオーバーフロー水排出部２９よりも上方に位置すると、このオーバーフロー水をオーバーフロー孔３１を介して排水できるようになっている。
【００２６】
オーバーフロー水排出部２９の上端部（頂部）には指で摘むための摘み部３２を突設している。摘み部３２は横に長い板状でオーバーフロー水排出部２９の上面板部３４の左右方向の中央部から後側（ヘアキャッチャー１の中心と反対側）に向かって突出し、上面はオーバーフロー水排出部２９の上面に連続している。摘み部３２はヘアキャッチャー１を排水口２に設置した状態で排水口２の周縁部（即ち取付用筒体１０の上側鍔部１３）の上方に位置するため、この摘み部３２を指で摘んで排水口２に設置したヘアキャッチャー１の取り出しを容易且つ清潔に行える。また、捕集した毛髪等のゴミを除去する際に、摘み部３２を指で摘んでヘアキャッチャー１を上下に反転して振る等してゴミを簡単に振り落とすこともできる。
【００２７】
上記ヘアキャッチャー１を既述の排水構造における排水口２に取り付けるには、ヘアキャッチャー本体２３を排水口２（即ち取付用筒体１０）に挿入した後にヘアキャッチャー１を周方向に回転し、これにより前記各係止溝２６の一端開口から排水口２の内面から突設した係止突部３３を挿入して係止する。また、手入れの際等に排水口２からヘアキャッチャー１を取り出すには上記取り付け状態にあるヘアキャッチャー１を取り付け時とは反対方向に回転し、各係止溝２６から係止突部３３を引き出して係止を解除し、この後、ヘアキャッチャー１を上方に引き出す。
【００２８】
以上説明したヘアキャッチャー１にあっては、平面視円形のヘアキャッチャー本体２３のヘアキャッチャー本体２３の外周よりも窪ませた片側領域を複数の排水孔２８を形成した排水部２７とすると共に、ヘアキャッチャー本体２３の他側領域に頂部にオーバーフローした水を排出するためのオーバーフロー孔３１を有するオーバーフロー水排出部２９を立設することで、毛髪等のゴミをヘアキャッチャー本体２３の片側に設けた排水部２７にまとめて捕集でき、ヘアキャッチャー本体２３に堆積したゴミを簡単に取り除くことができる。さらにはヘアキャッチャー本体２３に立設したオーバーフロー水排出部２９のヘアキャッチャー本体２３の最外周縁に沿う外側面（弧状面３０）により、ヘアキャッチャー１の後側（排水部２７と反対側の外側）から流れ込んだ排水を排水部２７側にスムーズに案内でき、この点でも毛髪等のゴミを排水部２７にまとめて捕集できる。
【００２９】
また、オーバーフロー水排出部２９をヘアキャッチャー本体２３の最外周縁に沿って形成することで、オーバーフロー水排出部２９をヘアキャッチャー本体２３の最外周縁の直前にまで形成できてオーバーフロー水排出部２９の外周長を長くでき、これにより外側からヘアキャッチャー１へと向かって流れる排水に含まれる毛髪等の比較的長いゴミがオーバーフロー水排出部２９に引っ掛かり難くなる。またこの場合、排水孔２８を形成する排水部２７の面積を充分に確保でき、高い排水効率を維持できる。また、オーバーフロー水排出部２９のヘアキャッチャー本体２３の最外周縁に沿う外側面（弧状面３０）をヘアキャッチャー本体２３の外周枠２４上に位置させることで、オーバーフロー水排出部２９を外周長がヘアキャッチャー本体２３と同径の半円の外周長と略同じ長さとなるまで大きく形成でき、毛髪等の比較的長いゴミがオーバーフロー水排出部２９に引っ掛かることを一層防止できる。
【００３０】
なお、図１及び図２に示すヘアキャッチャー１はオーバーフロー水排出部２９を平面視扇状に形成し、オーバーフロー水排出部２９と排水部２７とで平面視略円形状をなすようにしたが、オーバーフロー水排出部２９がヘアキャッチャー本体２３の最外周縁に沿うものであれば図４に示すようにオーバーフロー水排出部２９を切断円状、即ち円を直線で切断して得られる形状に形成しても良いし、また、図５に示すようにオーバーフロー水排出部２９を平面視略Ｃ字状としても良く、これらの場合には排水部２７の面積をさらに大きくできる。また、図１、図４、図５ではオーバーフロー水排出部２９に排水孔２８よりも大径のオーバーフロー孔３１を一つだけ設けたが、オーバーフロー孔３１は複数設けても良いものとする。なお、図４及び図５に示すヘアキャッチャー１のその他の構成は図１に示すヘアキャッチャーと同様のものであるので、詳細な説明は省略する。
【００３１】
また、図６に示すようにオーバーフロー水排出部２９のヘアキャッチャー本体２３の最外周縁に沿う外側面（弧状面３０）をヘアキャッチャー本体２３の外周枠２４（上端内縁）よりも内側に位置させても良く、図６ではオーバーフロー水排出部２９を図１の例と同様に平面視略扇状に形成している。また、オーバーフロー水排出部２９の上面板部３４には排水孔２８と略同径の円形のオーバーフロー孔３１を多数形成している。このようにオーバーフロー水排出部２９のヘアキャッチャー本体２３の最外周縁に沿う外側面をヘアキャッチャー本体２３の外周枠２４よりも内側に位置させると、ヘアキャッチャー本体２３の最外周縁とオーバーフロー水排出部２９のヘアキャッチャー本体２３の最外周縁に沿う外側面との間に排水を通過させるための空間を形成できてよりスムーズな排水を実現できる。なお、図６に示すヘアキャッチャー１のオーバーフロー水排出部２９には多数のオーバーフロー孔３１を形成したが、例えば図７に示すようにオーバーフロー水排出部２９にオーバーフロー孔３１を一つだけ設けても良いものとする。なお、図６及び図７に示すヘアキャッチャー１のその他の構成は図１に示すヘアキャッチャーと同様のものであるので、詳細な説明は省略する。
【符号の説明】
【００３２】
１  ヘアキャッチャー
２３  ヘアキャッチャー本体
２７  排水部
２８  排水孔
２９  オーバーフロー水排出部
３１  オーバーフロー孔
３２  摘み部
【図２】
0005568104.tif 000002
【図３】
0005568104.tif 000003
【図４】
0005568104.tif 000004
【図５】
0005568104.tif 000005
【図６】
0005568104.tif 000006
【図７】
0005568104.tif 000007
【図８】
0005568104.tif 000008
【図１】
0005568104.tif 000009